(57)【要約】      （修正有）【課題】耐久性が高く、海洋汚染を防止可能なシルトフェンス用フロート及びこれを用いたシルトフェンスを提供する。【解決手段】シルトフェンス用フロート１は、気密性容器２と、気密性容器に封入された気体を備え、気密性容器は金属材料で形成され、気密性容器は二以上の中空部材を有する。金属材料が普通鋼又は特殊鋼である。気体が、空気、水素、ヘリウム又はこれらの混合物であり、気密性容器の外壁の厚さが０．５ｍｍ以上１０．０ｍｍ以下である。【選択図】図１
0003232129.tif 000002
【実用新案登録請求の範囲】
【請求項１】
気密性容器と、上記気密性容器に封入された気体を備え、
上記気密性容器は金属材料で形成され、
上記気密性容器は二以上の気室を有するシルトフェンス用フロート。
【請求項２】
上記金属材料が普通鋼又は特殊鋼である請求項１に記載のシルトフェンス用フロート。
【請求項３】
上記気体が、空気、水素、ヘリウム又はこれらの混合物である請求項１又は２に記載のシルトフェンス用フロート。
【請求項４】
上記気密性容器の外壁の厚さが０．５ｍｍ以上１０．０ｍｍ以下である請求項１〜３のいずれかに記載のシルトフェンス用フロート。
【請求項５】
請求項１〜４のいずれかに記載のシルトフェンス用フロートと、シルトフェンス用カーテンと、シルトフェンス用ウエイトを有するシルトフェンス。
【考案の詳細な説明】
【技術分野】
【０００１】
本考案は、シルトフェンス用フロート及びこれを用いたシルトフェンスに関するものである。
【背景技術】
【０００２】
河川、海洋での浚渫作業や捨石作業等において、シルトや土等が水中に流出し、水質汚染が生じるという問題がある。このような海洋汚染を防ぐため、シルトフェンスが用いられている
シルトフェンスは、フロート部、カーテン部、ウエイト部からなり、フロート部の有する浮力とウエイト部の重力によってカーテン部を引っ張り、正常域と汚濁域を区画する。シルトフェンスを用いることで、汚濁液を一定水域内に閉じ込め、汚濁物質を沈降させることで、環境への影響を抑制することができる。
【０００３】
特許文献１には、シルトフェンス用フロート及びこれを用いたシルトフェンスが開示されている。上記シルトフェンス用フロートは、円柱形のポリスチレン発泡体製の浮力体を複数個、ターボリンを素材とするフロートケース内に収納したものである。
しかし、ターボリンは樹脂製であるため、経年劣化によりフロートケースが破損することがあった。また、フロートケースが破損した場合、内部のポリスチレンが海洋に拡散し、新たな環境汚染を引き起こすという問題があった。また、ターボリン及びポリスチレンはいずれも産業廃棄物であるため、シルトフェンスの利用終了後は埋め立て処分を行う必要があり、環境への負荷が大きかった。
【先行技術文献】
【特許文献】
【０００４】
【特許文献１】特開平４−６４６１４号公報
【考案の概要】
【考案が解決しようとする課題】
【０００５】
本考案は、耐久性が高く、海洋汚染を防止可能なシルトフェンス用フロート及びこれを用いたシルトフェンスを提供することを主な目的とする。
【課題を解決するための手段】
【０００６】
本考案は、上記課題を解決するためになされたものであり、以下の考案を包含する。
［１］気密性容器と、上記気密性容器に封入された気体を備え、上記気密性容器は金属材料で形成され、上記気密性容器は二以上の気室を有するシルトフェンス用フロート。
［２］上記金属材料が普通鋼又は特殊鋼である［１］に記載のシルトフェンス用フロート。
［３］上記気体が、空気、水素、ヘリウム又はこれらの混合物である［１］又は［２］に記載のシルトフェンス用フロート。
［４］上記気密性容器の外壁の厚さが０．５ｍｍ以上１０．０ｍｍ以下である［１］〜［３］のいずれかに記載のシルトフェンス用フロート。
［５］［１］〜［４］のいずれかに記載のシルトフェンス用フロートと、シルトフェンス用カーテンと、シルトフェンス用ウエイトを有するシルトフェンス。
【考案の効果】
【０００７】
本考案によれば、耐久性が高く、海洋汚染を防止可能なシルトフェンス用フロート及びこれを用いたシルトフェンスを提供することができる。
【図面の簡単な説明】
【０００８】
【図１】図１は、実施例１のシルトフェンス用フロートを示す。
【図２】図２は、図１のシルトフェンス用フロートを他の方向から表した図である。
【図３】図３は、図２のシルトフェンス用フロートのＡ−Ａ断面図である。
【図４】図４は、実施例２のシルトフェンスを示す。
【図５】図５は、図４のシルトフェンスの使用状態を示す図である。
【考案を実施するための形態】
【０００９】
本考案のシルトフェンス用フロートは、気密性容器と、上記気密性容器に封入された気体を備え、上記気密性容器は金属材料で形成され、上記気密性容器は二以上の気室を有する。
上記シルトフェンス用フロートは、シルトフェンスにおける浮体部である。上記シルトフェンス用フロートは、規定する浮力を発揮することで、シルトフェンス用カーテン及びシルトフェンス用ウエイトを垂下することができる。
【００１０】
（気密性）
上記気密性容器は、気密性を有するため、封入した気体が容器外へ漏れることや、容器外の水が容器内に入ることを防止することができる。上記気密性容器は、耐圧性を有し、容器外の水圧の変化や、容器内の気体の圧力の変化によっても、気密性を保持することができる。
【００１１】
（金属材料）
上記気密性容器は金属材料で形成される。金属材料は、使用終了後は回収し、再資源化することができる。容器の素材として樹脂材料を用いた場合と比べ、環境への負荷を低減することができる。
金属材料は強度が高いため、長期間の使用が可能となる。また、金属材料は加工が容易であるため、上記気密性容器を様々な形状に形成することができる。
【００１２】
上記金属材料は、金属単体でもよいし、異なる金属を混ぜた合金でもよい。
金属単体としては、例えば鉄、銅、アルミニウム、マグネシウム、チタン、ニッケル、亜鉛、鉛、錫、金、銀、プラチナ、パラジウム、ルテニウム、ロジウム、イリジウム、オスニウム、レアメタル、レアアース等が挙げられる。
【００１３】
合金としては、鉄鋼、非鉄金属が挙げられる。
鉄鋼とは、鉄を主成分とする金属であり、例えば普通鋼と特殊鋼が挙げられる。
普通鋼としては、例えばＪＩＳ鋼材規格のＳＳ材、ＳＭ材、ＳＢ材、ＳＧ材、ＳＰＨ材、ＳＰＨＴ材、ＳＡＰＨ材、ＳＰＣ材等が挙げられる。
特殊鋼としては、例えばＪＩＳ鋼材規格のＳＣ材、ＳＣｒ材、ＳＣＭ材等の合金鋼；ＳＫ材、ＳＫＳ材、ＳＫＤ材、ＳＫＨ材等の工具鋼；ステンレス鋼、耐熱鋼、ばね鋼、軸受鋼等の特殊用途鋼；等が挙げられる。また、ステンレス鋼としては、フェライト系ステンレス鋼、マルテンサイト系ステンレス鋼、オーステナイト系ステンレス鋼、オーステナイト・フェライト系ステンレス鋼等が挙げられる。
非鉄金属とは、鉄鋼以外の金属とその合金の総称である。非鉄金属としては、例えば銅、アルミニウム、マグネシウム、チタン、ニッケル、亜鉛、錫、貴金属、金、銀、レアメタル、レアアースの単体又は合金、アモルファス合金、超硬及びサーメット等が挙げられる。
【００１４】
上記気密性容器に用いる金属材料としては、コスト及び加工の容易性から、普通鋼または特殊鋼が好ましい。
【００１５】
上記金属材料は、耐水性、耐食性、耐摩耗性等の向上のため、表面処理加工を行うことが好ましい。表面処理加工としては、例えばめっき、化成処理、陽極酸化、塗装、浸炭、窒化、ショートピーニング等が挙げられる。
【００１６】
（気室）
上記気密性容器は、二以上の気室を有する。二以上の気室を有することで、一部が破損した場合でも他の部分が浮力を生じることができる。
上記気密性容器は、二以上の部材を組み合わせることで二以上の気室を構成してもよいし、二以上の気室を有するよう予め構成していてもよい。また、気密性容器の長手方向に二以上の気室を設けてもよく、短手方向に二以上の気室を設けてもよい。
上記気密性容器が略円筒形の場合、例えば半円筒形の容器２個接続してもよく、１／４円筒形の容器を４個接続してもよく、円筒形の容器を複数接続してもよい。
【００１７】
上記機密性容器には、気体が封入されている。上記シルトフェンス用フロートは、主に上記気体によって、必要な浮力を発揮する。
上記気密性容器から気体が流出した場合も、比重の小さいプラスチック材料を用いた場合と比べ、環境への負荷は小さい。また、上記シルトフェンス用フロートの使用終了後も、気体は大気へ排出すればよく、産業廃棄物の排出も抑制可能である。
【００１８】
封入する気体は特に限定されないが、比重の小さいものが好ましい。また、上記気密性容器から気体が大気中へ流出することも考えられるが、環境への負荷を軽減するため、大気中に含まれる物質であることが好ましい。
上記気体としては、空気、水素、ヘリウム又はこれらの混合物であることが好ましい。
気体として空気を用いる場合、上記気密性容器を密封する際、中に含まれていた空気をそのまま用いてもよい。また、封入する気体は、高圧でもよいし、定圧でもよいし、大気圧でもよい。
【００１９】
（形状）
上記気密性容器の形状は特に限定がないが、例えば略円柱形、略角柱形等が挙げられる。コスト及び設置の容易さから略円筒形であることが好ましい。
上記気密性容器の大きさは、目的に応じて適宜選択することができ、例えば長さ１．８ｍ〜１０．０ｍ、直径３００ｍｍ〜１０００ｍｍとすることができる。
上記気密性容器は、薄型に形成することが好ましく、外壁の厚さが０．５ｍｍ以上１０．０ｍｍ以下であることが好ましい。またフロートの径は、設置目的に応じて適宜選択することができる。
【００２０】
上記気密性容器は、シルトフェンス用カーテンとの接続部を有する。上記接続部は、容器に予め備え付けてもよいし、溶接やボルト等により、容器に固定してもよい。
【００２１】
上記シルトフェンス用フロートの発揮する浮力は、目的に応じて適宜選択することができ、例えば２９４Ｎ／ｍ以上とするこができる。
【００２２】
（シルトフェンス）
本考案のシルトフェンスは、上記シルトフェンス用フロート、シルトフェンス用カーテン、シルトフェンス用ウエイトを有する。
シルトフェンスは、複数を直列に配置し、相互に接続することで、水域を区画する。シルトフェンスを用いることで、汚濁液を一定水域内に閉じ込め、汚濁物質を沈降させることで、環境への影響を抑制することができる。
シルトフェンス用カーテンは、水域を区画し、水中の汚濁物質が正常域に流出しないよう遮蔽する部分である。シルトフェンス用カーテンの大きさは、目的に応じて適宜選択することができ、例えば高さ1．０ｍ〜２０．０ｍ、長さ２．５ｍ〜４０．０ｍとすることができる。
シルトフェンス用ウエイトは、シルトフェンスを重力方向に引っ張るために用い、これによりカーテン部分を懸垂することができる。シルトフェンス用ウエイトは、例えば鉄鋼等により形成することができる。シルトフェンス用ウエイトの重量は、シルトフェンス用カーテンの大きさ、シルトフェンス用フロートの浮力及び水域の状態に応じて適宜選択することができ、例えばｍ当り３．０ｋｇ〜１５．０ｋｇとすることができる。
【実施例１】
【００２３】
防錆塗装を行った鋼板（ＪＩＳ鋼材規格：ＳＳ４００）を、長さ１．８０ｍ、直径３２０ｍｍ、外壁の厚さを１．６ｍｍとし、平面部の厚さを５．０ｍｍの略半円柱形に加工した。これにシルトフェンス用カーテンとの接続部を設け、長さ２．００ｍの気密性容器２とした。上記気密性容器２の内に、１気圧の空気を封入した。ターポリンとポリエステル織布により、長さ２．５０ｍ、高さ０．５７ｍのカーテン部接続用シート３を形成した。カーテン部接続用シート３は、下地及びカーテン部との結束部を有する。
一対の上記気密性容器２の平面部の間に、カーテン部接続用シート３の下地を配置し、ボルトによりこれらを接続し、略円柱形のシルトフェンス用フロート１（浮力：３００Ｎ／ｍ）を得た。
【００２４】
図１及び図２に、得られたシルトフェンス用フロート１を示す。得られたシルトフェンス用フロート１は、外壁が金属製であるため、高い耐久性を発揮した。また、上記気密性容器２に封入された空気により、必要な浮力を発揮することができた。
図３に示すように、シルトフェンス用フロート１は、気室４を有する。気室４が二個存在するため、一の気室を破損した場合でも、他の気室のみで十分な浮力を確保することができる。
【実施例２】
【００２５】
上記シルトフェンス用フロート１に、高さ１．００ｍ、長さ２．５０ｍ、ポリエステル製のシルトフェンス用カーテン５及びスチール製のシルトフェンス用ウエイト６（重さ３．０ｋｇ/ｍ）を接続し、シルトフェンス１０を得た。
図４に得られたシルトフェンス１０を示す。また、図５にシルトフェンス１０の使用状態を示す。
シルトフェンス１０は、シルトフェンス用フロート１を用いるため、耐久性が高く、海洋汚染を防止することが可能であった。
【産業上の利用可能性】
【００２６】
本考案によれば、耐久性が高く、海洋汚染を防止可能なシルトフェンス用フロート及びこれを用いたシルトフェンスを提供することができるため、産業上有用である。
【符号の説明】
【００２７】
１    シルトフェンス用フロート
２    気密性容器
３    カーテン部接続用シート
４    気室
５    シルトフェンス用カーテン
６    シルトフェンス用ウエイト
１０    シルトフェンス
【図１】
0003232129.tif 000003
【図２】
0003232129.tif 000004
【図３】
0003232129.tif 000005
【図４】
0003232129.tif 000006
【図５】
0003232129.tif 000007
【手続補正書】
【提出日】令和3年3月20日(2021.3.20)
【手続補正１】
【補正対象書類名】実用新案登録請求の範囲
【補正対象項目名】請求項１
【補正方法】変更
【補正の内容】
【請求項１】
気密性容器と、上記気密性容器に封入された気体を備え、
上記気密性容器は金属材料で形成され、
上記気密性容器は二以上の中空部材を備えるシルトフェンス用フロート。
【手続補正２】
【補正対象書類名】明細書
【補正対象項目名】００１６
【補正方法】変更
【補正の内容】
【００１６】
（気室）
上記気密性容器は二以上の中空部材を備える。上記中空部材は、それぞれ気室を有する。
上記気密性容器は、二以上の気室を有する。二以上の気室を有することで、一部が破損した場合でも他の部分が浮力を生じることができる。
上記気密性容器は、二以上の部材を組み合わせることで二以上の気室を構成してもよいし、二以上の気室を有するよう予め構成していてもよい。また、気密性容器の長手方向に二以上の気室を設けてもよく、短手方向に二以上の気室を設けてもよい。
上記気密性容器が略円筒形の場合、例えば半円筒形の容器２個接続してもよく、１／４円筒形の容器を４個接続してもよく、円筒形の容器を複数接続してもよい。